(57)【特許請求の範囲】
【請求項１】
装置本体と、
前記装置本体に設けられ用紙に画像を形成する画像形成部と、
前記装置本体に設けられ前記画像形成部に用紙を供給する用紙供給部と、
前記装置本体に設けられるとともに前記用紙供給部から独立して当該装置本体から引き出し可能であり、吸入された空気又は排出される空気が内部を流れる空気流路部と、
前記空気流路部の前記内部に設けられ、当該空気流路部の当該内部を流れる空気を通過させることにより当該空気に含まれる物質を捕集する捕集部材と、
前記空気流路部に対して固定され、かつユーザが当該装置本体から当該空気流路部を引き出す際に指を掛ける凹部と、当該凹部に形成され当該空気流路部の内部と当該装置本体の外部とを連続させ空気を通過させる通気口とを有する引き出し部材と
を含む画像形成装置。
【請求項２】
前記空気流路部は、
前記捕集部材を挿入する挿入口と、
前記挿入口に挿入された前記捕集部材を覆う位置と、当該挿入口から当該捕集部材を引き出し可能な位置との間で開閉可能な覆い部材と
を有することを特徴とする請求項１記載の画像形成装置。
【請求項３】
前記空気流路部の内部であって、当該空気流路部における当該空気流路部を前記装置本体へ収容する方向の下流側に設けられ、当該空気流路部の内部を流れる空気流をつくる送風部をさらに有することを特徴とする請求項１または２記載の画像形成装置。
【請求項４】
前記通気口と前記捕集部材との間に設けられ当該通気口から進入したユーザの指が当該捕集部材に届くことを抑制する抑制部材を有することを特徴とする請求項１乃至３のいずれか１項記載の画像形成装置。
【請求項５】
装置本体と、
前記装置本体に設けられ用紙に画像を形成する画像形成部と、
前記装置本体に設けられ前記画像形成部に用紙を供給する用紙供給部と、
前記装置本体内において当該装置本体内の空気を流し当該装置本体内に空気流をつくる空気流発生機構と、
前記装置本体に設けられるとともに前記用紙供給部から独立して当該装置本体から引き出し可能であり、前記空気流発生機構によりつくられる空気流が内部を通過する空気流路部と、
前記空気流路部の前記内部に設けられ、当該空気流路部の当該内部を流れる空気を通過させることにより当該空気に含まれる物質を捕集する捕集部材と、
前記空気流路部よりも当該空気流路部を前記装置本体から引き出す方向の下流側で当該空気流路部に固定され、かつユーザが当該装置本体から当該空気流路部を引き出す操作を行う際に手を掛ける把手部と、当該把手部に形成され当該空気流路部の内部と当該装置本体の外部とを連続させ前記空気流発生機構により当該装置本体の外部から空気が吸入される吸入部とを有する引き出し操作部と
を含む画像形成装置。
【発明の詳細な説明】
【技術分野】
【０００１】
本発明は、画像形成装置及び捕集装置に関する。
【背景技術】
【０００２】
画像形成装置として、イオン発生器を有する空気清浄機を内蔵し、室内の空気を浄化しながらも、イオン発生器のイオン発生効率を長期にわたって維持することを課題とするものが存在する。具体的にはこの画像形成装置は、換気装置の各排気ファン及び空気清浄機の吸気口を画像形成装置の本体筐体の相互に対向するそれぞれの側壁部に設け、換気装置の各排気ファンを空気清浄機の吸気口よりも高い位置に設けたことから、換気装置の各排気ファンから排出されシリコンが空気清浄機の吸気口に吸引されることは殆どなく、このシリコンがイオン発生器の放電電極に殆ど付着せず、イオン発生器のイオン発生効率を長期にわたって維持することができる（特許文献１参照）。
【先行技術文献】
【特許文献】
【０００３】
【特許文献１】特開２０１１−８５６１５号公報
【発明の概要】
【発明が解決しようとする課題】
【０００４】
本発明は、装置本体から空気流路部を引き出す際に指を掛ける凹部の配置、及び空気を通過させる通気口の配置における自由度を増すことを目的とする。
【課題を解決するための手段】
【０００５】
請求項１記載の発明は、装置本体と、前記装置本体に設けられ用紙に画像を形成する画像形成部と、前記装置本体に設けられ前記画像形成部に用紙を供給する用紙供給部と、前記装置本体に設けられるとともに前記用紙供給部から独立して当該装置本体から引き出し可能であり、吸入された空気又は排出される空気が内部を流れる空気流路部と、前記空気流路部の前記内部に設けられ、当該空気流路部の当該内部を流れる空気を通過させることにより当該空気に含まれる物質を捕集する捕集部材と、前記空気流路部に対して固定され、かつユーザが当該装置本体から当該空気流路部を引き出す際に指を掛ける凹部と、当該凹部に形成され当該空気流路部の内部と当該装置本体の外部とを連続させ空気を通過させる通気口とを有する引き出し部材とを含む画像形成装置である。
請求項２記載の発明は、前記空気流路部は、前記捕集部材を挿入する挿入口と、前記挿入口に挿入された前記捕集部材を覆う位置と、当該挿入口から当該捕集部材を引き出し可能な位置との間で開閉可能な覆い部材とを有することを特徴とする請求項１記載の画像形成装置である。
請求項３記載の発明は、前記空気流路部の内部であって、当該空気流路部における当該空気流路部を前記装置本体へ収容する方向の下流側に設けられ、当該空気流路部の内部を流れる空気流をつくる送風部をさらに有することを特徴とする請求項１または２記載の画像形成装置である。
請求項４記載の発明は、前記通気口と前記捕集部材との間に設けられ当該通気口から進入したユーザの指が当該捕集部材に届くことを抑制する抑制部材を有することを特徴とする請求項１乃至３のいずれか１項記載の画像形成装置である。
【０００６】
請求項５記載の発明は、装置本体と、前記装置本体に設けられ用紙に画像を形成する画像形成部と、前記装置本体に設けられ前記画像形成部に用紙を供給する用紙供給部と、前記装置本体内において当該装置本体内の空気を流し当該装置本体内に空気流をつくる空気流発生機構と、前記装置本体に設けられるとともに前記用紙供給部から独立して当該装置本体から引き出し可能であり、前記空気流発生機構によりつくられる空気流が内部を通過する空気流路部と、前記空気流路部の前記内部に設けられ、当該空気流路部の当該内部を流れる空気を通過させることにより当該空気に含まれる物質を捕集する捕集部材と、前記空気流路部よりも当該空気流路部を前記装置本体から引き出す方向の下流側で当該空気流路部に固定され、かつユーザが当該装置本体から当該空気流路部を引き出す操作を行う際に手を掛ける把手部と、当該把手部に形成され当該空気流路部の内部と当該装置本体の外部とを連続させ前記空気流発生機構により当該装置本体の外部から空気が吸入される吸入部とを有する引き出し操作部とを含む画像形成装置である。
【発明の効果】
【０００７】
請求項１記載の発明によれば、本構成を有しない場合に比較して、装置本体から空気流路部を引き出す際に指を掛ける凹部の配置、及び空気を通過させる通気口の配置における自由度を増すことができる。
請求項２記載の発明によれば、本構成を有しない場合に比較して、引き出し部材に形成される他の通気口を、より自由に設計することができる。
請求項３記載の発明によれば、本構成を有しない場合に比較して、空気流路部を装置本体に収容する方向の上流側において送風部の騒音を抑制することができる。
請求項４記載の発明によれば、本構成を有しない場合に比較して、捕集部材にユーザの指が触れることを抑制することができる。
請求項５記載の発明によれば、本構成を有しない場合に比較して、装置本体から空気流路部を引き出す際に指を掛ける凹部の配置、及び空気を通過させる通気口の配置における自由度を増すことができる。
【図面の簡単な説明】
【０００８】
【図１】本実施の形態が適用される画像形成装置を示す概略構成図である。
【図２】本実施の形態が適用される画像形成装置を示す斜視図である。
【図３】本実施の形態が適用される空気清浄部を示す斜視図である。
【図４】本実施の形態が適用される空気清浄部の上面図である。
【図５】カセットが収容された状態の空気清浄部の上面図である。
【図６】把手部及び空気口を示す概略構成図である。
【図７】ユーザによって引き出されるカセットを示す説明図である。
【図８】第１の変形例における把手部を示す概略構成図である。
【図９】第２の変形例における把手部を示す概略構成図である。
【発明を実施するための形態】
【０００９】
以下、添付図面を参照して、本発明の実施の形態について詳細に説明する。
＜画像形成装置１００＞
図１は、本実施の形態が適用される画像形成装置１００を示す概略構成図である。図１に示す画像形成装置１００は、所謂タンデム型のカラープリンタである。この画像形成装置１００は、各色の画像データに対応して画像形成を行う画像形成部１０と、画像形成装置１００全体の動作を制御する制御部２０とを備えている。また、画像形成装置１００は、画像形成装置１００の上方側に設けられ、原稿の画像を読み取るスキャナにより構成される画像読取装置３０を備えている。さらに、画像形成装置１００は、画像形成部１０に用紙Ｓを供給する用紙供給部４０を備えている。
【００１０】
ここで、画像形成装置１００の各構成部材は、本体筺体（装置本体）５０の内部に収容されている。また、画像読取装置３０の下方であって本体筺体５０の上部の面には、画像形成部１０によって画像が形成された用紙Ｓが積載される積載面をもつ胴内積載部６０が設けられている。さらに、画像形成装置１００は、画像形成装置１００の外部の空気を画像形成装置１００内に取り込み清浄する空気清浄部７０を備えている。
【００１１】
＜画像形成部１０＞
画像形成部１０には、一定の間隔をおいて並列的に配置される４つの画像形成ユニット１Ｙ，１Ｍ，１Ｃ，１Ｋが備えられている。各画像形成ユニット１Ｙ，１Ｍ，１Ｃ，１Ｋは、静電潜像を形成してトナー像を保持する感光体ドラム１２を備えており、いわゆる電子写真方式によってトナー像を形成する。ここで、各画像形成ユニット１Ｙ，１Ｍ，１Ｃ，１Ｋは、現像装置に収納されるトナーを除いて、同様に構成される。そして、各画像形成ユニット１Ｙ，１Ｍ，１Ｃ，１Ｋは、それぞれがイエロー（Ｙ）、マゼンタ（Ｍ）、シアン（Ｃ）、黒（Ｋ）のトナー像を形成する。このようなことから、以下の説明においては、画像形成ユニット１Ｙ、１Ｍ、１Ｃ、１Ｋの各構成についてはそれぞれ「Ｙ」、「Ｍ」、「Ｃ」、「Ｋ」という符号を付して区別するが、区別する必要のないときは、これらの符号は付さない。
【００１２】
また、画像形成部１０は、各画像形成ユニット１の感光体ドラム１２上に形成された各色トナー像が転写される中間転写ベルト１３を備えている。また、画像形成部１０は、各画像形成ユニット１にて形成された各色トナー像を中間転写ベルト１３に順次転写（一次転写）する一次転写ロール１７を備えている。さらに、画像形成部１０は、中間転写ベルト１３上に重畳して形成された各色トナー像を記録材（記録紙）である用紙Ｓに一括転写（二次転写）する二次転写部１９と、二次転写された各色トナー像を用紙Ｓに定着させる定着装置２１とを備えている。
さらにまた、画像形成部１０は、定着装置２１によってトナー像が定着された用紙Ｓの通過を検知するエグジットセンサ２２を備える。さらにまた、このエグジットセンサ２２を通過した用紙Ｓを胴内積載部６０に排出する胴内排出ロール２３を備える。
【００１３】
用紙供給部４０は、用紙収容部４１、繰り出しロール４３、捌きロール４５、及びレジロール４７を備える。用紙収容部４１は、用紙Ｓを収容する。繰り出しロール４３は、用紙収容部４１の上部に配設され、用紙収容部４１に収容される用紙Ｓの束のうち、最上位の用紙Ｓを繰り出す。捌きロール４５は、繰り出しロール４３にて繰り出された用紙Ｓを１枚ずつに捌いて搬送する。また、レジロール４７は、捌きロール４５によって捌いて搬送された用紙Ｓを一旦停止させ、タイミングを合わせて回転を再開することにより二次転写部１９に対して用紙Ｓを供給する。
【００１４】
＜空気清浄部７０の構造＞
次に、図２を参照しながら、空気清浄部７０について説明をする。図２は、本実施の形態が適用される画像形成装置１００を示す斜視図である。
本実施の形態において、捕集装置の一例である空気清浄部７０は、画像形成装置１００の下方に設けられている。より具体的には、空気清浄部７０は用紙供給部４０の下方に設けられており、用紙供給部４０に対して着脱可能である。
この空気清浄部７０は、引き出し可能（図２の矢印Ａ１及びＡ２参照）なカセット７１と、カセット７１を引き出し可能に支持するとともに内部にカセット７１を収容する筐体７３とを有する。以下で、カセット７１と筐体７３とを説明する。
【００１５】
＜カセット７１＞
まず、図３乃至５を参照しながら、カセット７１について説明をする。図３は、本実施の形態が適用される空気清浄部７０を示す斜視図である。図４は、本実施の形態が適用される空気清浄部７０の上面図である。より詳細には、図４（ａ）は、カセット７１が引き出された状態の空気清浄部７０の上面図であり、図４（ｂ）は、インナーカバー７７の先端部７７１を示す概略構成図である。図５は、カセット７１が収容された状態の空気清浄部７０の上面図である。
【００１６】
図３に示すように、カセット７１は、画像形成装置１００のフロント側（図１の紙面手前側）に設けられる板状部材であるフロント板（引き出し部材、引き出し操作部）７１０と、このフロント板７１０と連続して設けられ内部に空気が流れる空間を有する略直方体の部材であるダクト（管路、空気流路部）７２とを有する。
フロント板７１０には、ユーザが指を掛けカセット７１を引き出すための把手部７１１と、フロント板７１０におけるフロント側（図１の紙面手前側）に設けられ空気清浄部７０内に空気を取り込む空気口（ルーバ）７１３が設けられている。
【００１７】
また、ダクト７２は、図１に示す画像形成装置１００のフロント側（図１の紙面手前側）からリア側（図１の紙面奥側）に向けて延び、空気口７１３から取り込まれた空気をリア側（図１の紙面奥側）に配置されたファン７９（後述）へと流す流路を形成する。
【００１８】
本実施の形態おいては、カセット７１は、ダクト７２の側方に、複数のフィルタ７５を挿入するために形成された複数の挿入口７２１を有する。このカセット７１は、ダクト７２に対して引き出し可能である（図３の矢印Ｂ１及びＢ２参照）。また、図４（ａ）に示すように、カセット７１は、ダクト７２におけるリア側（図１の紙面奥側）に、ファン７９へ導かれる空気の流路を絞り込む絞り部７６を有する。
【００１９】
また、カセット７１は、空気中の浮遊物を吸着除去して空気を浄化するフィルタ７５（７５１、７５２、７５３、７５４）を有する。さらにカセット７１は、開閉可能に設けられ（矢印Ｃ１及びＣ２参照）、フィルタ（捕集部材あるいは空気清浄材）７５が挿入された状態でダクト７２の側方を覆うインナーカバー７７を有する。このインナーカバー７７は、画像形成装置１００のリア側（図１の紙面奥側）の端部に設けられた回転軸７７０を中心に、開閉可能である（図３の矢印Ｃ１及びＣ２参照）。
【００２０】
また、図４（ａ）及び図４（ｂ）に示すように、インナーカバー７７は、回転軸７７０が設けられた側とは反対側の先端部７７１に、インナーカバー７７が閉じた状態においてダクト７２の一部に掛かり合う爪部７７５を有する。また、インナーカバー７７は、この先端部７７１に、インナーカバー７７が閉じた状態においてダクト７２側とは反対側に突出する突起部７７３を有する。
【００２１】
＜把手部７１１＞
次に、図３乃至図７を参照しながら、カセット７１に設けられる把手部７１１について説明をする。図６は、把手部７１１及び空気口７１３を示す概略構成図である。具体的には、図６（ａ）は、カセット７１の正面図であり、図６（ｂ）は、図６（ａ）のＶＩｂ面における断面図であり、図６（ｃ）は、図６（ａ）のＶＩｃ面における断面図であり、図６（ｄ）は、図６（ｃ）における把手部７１１の拡大図である。図７は、ユーザによって引き出されるカセット７１の断面図である。
【００２２】
まず、図３に示すように、カセット７１は、フロント板７１０に形成されユーザがカセット７１を引き出すための把手部（凹部）７１１を有する。ここで、図６（ａ）に示すように、把手部７１１は、画像形成装置１００（図１参照）のフロント側（図１の紙面手前側）に設けられるフロント板７１０の両端（両側面）に設けられている。
また、図７に示すように、把手部７１１には、ユーザがカセット７１を引き出す際に、ユーザの指が掛けられる。ここで、図３に示すように、把手部７１１は、フロント板７１０に形成された凹部である。図６（ｄ）に示すように、凹部である把手部７１１には、ユーザの指が挿入される開口（通気口、吸入部）７１１０が形成されている。また、図５に示すように、把手部７１１は、筐体７３の外周面に露出している。
【００２３】
ここで、この開口７１１０の内部は、ダクト７２内に続くように構成されている。そして、この開口７１１０を介してダクト７２内へ空気が吸入される。さらに説明をすると、図６（ｄ）に示すように、カセット７１が筐体７３に収容されている状態において、開口７１１０が形成されているフロント板７１０と、筐体７３における画像形成装置１００のフロント側（図１の紙面手前側）の面７３ａとの間には、間隙Ｇａが形成されている。この間隙Ｇａは、カセット７１のダクト７２内と連続する。このことにより、開口７１１０を介してから吸入された空気は、間隙Ｇａを通過してダクト７２（図６（ｃ）参照）内へ導かれる。
【００２４】
さて、図６（ｂ）に示すように、本実施の形態においては、フロント板７１０の両端に設けられている把手部７１１と、ダクト７２内に配置されているフィルタ７５との間には、カセット７１の一部材あるいは筐体７３の一部材が存在する。図示の例においては、フロント板７１０に設けられこのフロント板７１０から筐体７３に向かう方向に突出する突起部７１０ａをフロント板７１０は有する。図７に示すように、抑制部材の一例としての突起部７１０ａが開口７１１０とフィルタ７５との間に配置されていることにより、開口７１１０から挿入された指が、突起部７１０ａよりもフィルタ７５側へ進入することが妨げられる。このことにより、本実施の形態においては、把手部７１１に開口７１１０が形成される構成であっても、ユーザの指がフィルタ７５に触れることが制限される。さらに説明をすると、開口７１１０は、開口７１１０に挿入されたユーザの指がフィルタ７５に届かない位置に配置されている。
【００２５】
＜空気口７１３＞
次に、図５及び６を参照しながら、カセット７１に設けられる空気口７１３について説明をする。
図６（ａ）に示すように、カセット７１は、フロント板７１０の画像形成装置１００のフロント側（図１の紙面手前側）に設けられ空気を取り込む空気口（吸入口）７１３を有する。図５に示すように、この空気口７１３は、カセット７１のダクト７２内へ続くよう形成されている。図示の例においては、フロント板７１０において水平方向に延びる空気口７１３が上下方向に複数並んで設けられている。
【００２６】
＜筐体７３＞
次に、図３乃至５を参照して、筐体７３について説明をする。
まず、図４（ａ）に示すように、筐体７３は、カセット７１が挿入される動作にともないインナーカバー７７と接触しインナーカバー７７を閉じるガイド部材７４を有する。なお、本実施の形態における筐体７３は、本体筺体５０の一部を構成する。
【００２７】
また、図５に示すように、筐体７３は、カセット７１の引き出し方向（図２の矢印Ａ１及びＡ２参照）に延び、カセット７１を引き出し可能に支持するレール７８を有する。また、筐体７３は、画像形成装置１００のリア側（図１の紙面奥側）に、外部の空気を空気清浄部７０内へ取り込みフィルタ７５を通過させるファン（送風部、空気流発生機構）７９を有する。なお、ファン７９が画像形成装置１００のリア側（図１の紙面奥側）に設けられることにより、フロント側（図１の紙面手前側）の騒音が低減される。
【００２８】
さらに、筐体７３は、ファン７９が取り込んだ空気を空気清浄部７０（画像形成装置１００（図１参照））の外へ排出する排出口７９０を有する。
さらにまた、図３に示すように、筐体７３は、上方に配置される用紙供給部４０（図１参照）を受けるとともに、着脱可能に固定するための固定部である固定孔７３１、固定ピン７３２、支持板７３３を有する。
【００２９】
＜空気清浄部７０の動作＞
次に、空気清浄部７０の動作について説明をする。
まず、制御部２０（図１参照）により制御されるファン７９が駆動することにより、空気口７１３（図３参照）を介して画像形成装置１００（図１参照）の外部の空気が取り込まれる（矢印Ｄ参照）。
そして、図５に示すように、取り込まれた空気は、ダクト７２内を流れ（矢印Ｄ参照）、第１フィルタ７５１、第２フィルタ７５２、第３フィルタ７５３、第４フィルタ７５４を通過する。各フィルタ７５を通過することにより、空気中の浮遊物が各フィルタ７５により吸着除去され、空気が浄化される。
浄化された空気は、絞り部７６により流路が絞られた領域を通過した後、ファン７９及び排出口７９０を介して、画像形成装置１００（図１参照）の外部、すなわち空気清浄部７０の外部へと排出される（矢印Ｄ参照）。
【００３０】
ここで、図６（ｃ）に示すように、制御部２０（図１参照）により制御されるファン７９（図５参照）が駆動することにより、把手部７１１に形成された開口７１１０を介して、画像形成装置１００（図１参照）の外部の空気が取り込まれる（矢印Ｄ１参照）。そして、把手部７１１から取り込まれた空気は、空気口７１３から取り込まれた空気とともにダクト７２内を流れ、各フィルタ７５を通過した後に画像形成装置１００（図１参照）の外部へと排出される（矢印Ｄ参照）。
【００３１】
さて、空気清浄部７０の空気清浄機能を維持するため、空気清浄部７０を一定期間使用した際にユーザによってフィルタ７５が交換もしくは洗浄される。例えば、第１フィルタ７５１を１ヶ月ごとに洗浄し、第２フィルタ７５２、第３フィルタ７５３、及び第４フィルタ７５４を６ヶ月ごとに交換する。フィルタ７５の交換作業は、カセット７１を引き出しながら行われる。そして、カセット７１を引き出す際には、上述のように把手部７１１にユーザの指が掛けられる。
【００３２】
さて、本実施の形態においては、空気口７１３とともに、把手部７１１の開口７１１０が画像形成装置１００（図１参照）の外部の空気を取り込む。言い替えると、把手部７１１が空気口７１３を兼ねる構成として捉えることができる。さらに言い替えると、把手部７１１が同一箇所において、ユーザが指を掛けカセット７１を引き出すための機能と画像形成装置１００（図１参照）の外部の空気を取り込む機能との２つの機能を実現する構成と捉えることができる。
したがって、把手部７１１を空気口７１３とは別に設けることにより、空気口７１３自体から取り込む空気量を小さくすることが可能となる。さらに説明をすると、空気口７１３の開口面積を小さくすることが可能となる。このことにより、例えばフロント板７１０に形成される空気口７１３や開口７１１０等のレイアウトを設計する自由度が増す。したがって、外観性の向上に寄与する。
【００３３】
＜変形例１＞
次に、図８を参照しながら、把手部７１１の変形例を説明する。ここで、図８は、第１の変形例における把手部７１１５を示す概略構成図である。具体的には、図８（ａ）は、カセット７１の正面図であり、図８（ｂ）は、図８（ａ）のＶＩＩＩｂ面における断面図であり、図８（ｃ）は、図８（ａ）のＶＩＩＩｃ面における断面図であり、図８（ｄ）は、図８（ｂ）に示す把手部７１１５にユーザの指が挿入された状態を示す説明図である。
【００３４】
まず、図８に示すように、この変形例における把手部７１１５は、フロント板７１０における画像形成装置１００（図１参照）のフロント側（図１の紙面手前側）に設けられている。この把手部７１１は、図８（ｄ）に示すように、フロント板７１０に形成された凹部であり、この凹部にはユーザの指が挿入される開口７１１１が形成されている。
また、この変形例においては、フロント板７１０に空気口７１３（図６参照）が形成されておらず、把手部７１１５の開口７１１１が、上述の空気口７１３（図６参照）の機能を兼ねる。さらに説明をすると、把手部７１１５の開口７１１１が、画像形成装置１００のフロント側（図１の紙面手前側）から空気を取り込む。
【００３５】
さて、図８（ｂ）に示すように、把手部７１１６は、フロント板７１０の下方から、画像形成装置１００（図１参照）のリア側（図１の紙面奥側）であってフロント板７１０の上方に延びるガイド板７１２５を有する。このガイド板７１２５は、ユーザの指を開口７１１１へ案内する。また、取り込まれる空気は、ガイド板７１２５に沿って進み（矢印Ｄ２参照）ながら、開口７１１１へと導かれる。
ここで、把手部７１１５に挿入されたユーザの指は、フィルタ７５（図５参照）に触れないように構成されている。具体的には、図８（ａ）の上下方向において、フロント板７１０とガイド板７１２５との間隙Ｇｂが、ユーザの指の太さよりも小さくなるよう構成されている。したがって、開口７１１１へ挿入されたユーザの指が、リア側（図１の紙面奥側）に配置されるフィルタ７５（図５参照）に向かって進入することが制限される。
【００３６】
＜変形例２＞
次に、図９を参照しながら、把手部７１１の他の変形例を説明する。ここで、図９は、第２の変形例における把手部７１１６を示す概略構成図である。具体的には、図９（ａ）は、カセット７１の正面図であり、図９（ｂ）は、図９（ａ）のＩＸｂ面における断面図であり、図９（ｃ）は、図９（ａ）のＩＸｃ面における断面図であり、図９（ｄ）は、図９（ｃ）に示す把手部７１１６にユーザの指が挿入された状態を示す説明図である。
【００３７】
まず、図９に示すように、この変形例における把手部７１１６は、フロント板７１０における画像形成装置１００（図１参照）のフロント側（図１の紙面手前側）に設けられている。この把手部７１１６は、フロント板７１０において水平方向に延びる複数の空気口７１３の側方に形成されている。図示の例においては、水平方向において把手部７１１６が空気口７１３を挟むように配置されている。また、把手部７１１６は、フロント板７１０に形成された凹部であり、この凹部にはユーザの指が挿入される開口７１１２が形成されている。
【００３８】
さて、この把手部７１１６は、フロント板７１０の両端側から画像形成装置１００（図１参照）のリア側（図１の紙面奥側）であってフロント板７１０の中央側に延びるガイド板７１２６を有する。このガイド板７１２６は、ユーザの指を開口７１１２へ案内する。また、取り込まれる空気は、ガイド板７１２６に沿って進み（矢印Ｄ３参照）ながら、開口７１１２へと導かれる。そして、画像形成装置１００のフロント側（図１の紙面手前側）から把手部７１１６を介して取り込まれた空気は、ガイド板７１２６に沿って進み（矢印Ｄ２参照）、フィルタ７５（図５参照）へと向かう。
ここで、図示の例においては、把手部７１１６に挿入されたユーザの指は、フィルタ７５（図５参照）に触れないように構成されている。具体的には、フロント板７１０の両端側に設けられている把手部７１１６と、ダクト７２内に配置されているフィルタ７５との間には、筐体７３の部材が存在する。
【００３９】
＜他の変形例＞
さて、上述の実施形態においては、ファン７９を画像形成装置１００のリア側（図１の紙面奥側）に設けるものとして説明したが、これに限定されない。例えば画像形成装置１００のフロント側（図１の紙面手前側）にファン７９が設けられる構成であってもよい。
また、上述の実施形態においては、空気口７１３、開口７１１０、開口７１１１、開口７１１２から取り込まれた空気を、フロント側（図１の紙面手前側）からリア側（図１の紙面奥側）に向けて流し、排出口７９０から空気清浄部７０の外へ排出させる構成として説明したが、これに限定されない。例えば、上述の実施形態とは反対に、リア側に設けられた空気口から空気を取り込み、この空気をリア側からフロント側へ向けて流し、フロント側の空気口７１３、開口７１１０、開口７１１１、開口７１１２から空気清浄部７０の外へ排出させる構成であってもよい。
【符号の説明】
【００４０】
１Ｙ，１Ｍ，１Ｃ，１Ｋ…画像形成ユニット、１９…二次転写部、２１…定着装置、７０…空気清浄部、７１…カセット、７３…筐体、７５…フィルタ、７９…ファン、１００…画像形成装置、７１１…把手部、７１３…空気口、７１１０、７１１１、７１１２…開口、Ｓ…用紙
【図１】
0005866961.tif 000002
【図２】
0005866961.tif 000003
【図３】
0005866961.tif 000004
【図４】
0005866961.tif 000005
【図５】
0005866961.tif 000006
【図６】
0005866961.tif 000007
【図７】
0005866961.tif 000008
【図８】
0005866961.tif 000009
【図９】
0005866961.tif 000010